(57)【特許請求の範囲】
【請求項１】
光軸を中心にした円形の露光開口部を有する地板と、回転軸を中心にして異なる角度位置に形成された口径の異なる複数の開口部を有すると共に周辺近傍部には夫々該複数の開口部に対応した位置に複数の被押動部と二つの傾斜面を形成した複数の凹状の係合部とを有しているターレット式絞り板と、歯車を介して前記ターレット式絞り板を回転させ前記複数の開口部のうち所定の開口部を前記露光開口部に臨ませることの可能なモータと、前記地板に取り付けられていてばねの付勢力によって前記係合部の二つの傾斜面に係合し得る位置決定部材と、前記地板に取り付けられており前記位置決定部材が前記複数の係合部の一つに係合しているとき前記複数の被押動部の一つに接触しばねの付勢力によって前記ターレット式絞り板の回転方向とは反対方向へ回転させるように付勢している偏倚部材とを備えていることを特徴とするカメラ用絞り機構。
【請求項２】
前記係合部に形成されている二つの傾斜面のうち、前記ターレット式絞り板の回転方向側に形成されている傾斜面は、反対回転方向側に形成されている傾斜面よりも急峻に形成されており、また、前記位置決定部材には、前記複数の係合部の一つに係合しているとき前記急峻な傾斜面と接触する係止部が形成されており、該係止部は、前記ターレット式絞り板が前記偏倚部材の付勢力によって前記反対回転方向へ回転するのを阻止するようにしたことを特徴とする請求項１に記載のカメラ用絞り機構。
【請求項３】
前記偏倚部材がばねであって、その一端を前記被押動部に接触し得るようにしていることを特徴とする請求項１又は２に記載のカメラ用絞り機構。
【請求項４】
前記位置決定部材が、板ばねで構成されていることを特徴とする請求項１乃至３の何れかに記載のカメラ用絞り機構。
【請求項５】
光軸を中心にした円形の露光開口部を有する地板と、回転軸を中心にして異なる角度位置に形成された口径の異なる複数の開口部を有すると共に周辺近傍部には夫々該複数の開口部に対応した位置に複数の被押動部を有しているターレット式絞り板と、歯車を介して前記ターレット式絞り板を回転させ前記複数の開口部のうち所定の開口部を前記露光開口部に臨ませることの可能なモータと、ばねで構成されていて前記地板に取り付けられておりその一端部に形成されている曲げ部を前記複数の被押動部の作動軌跡内に臨ませている第１偏倚部材と、ばねで構成されていて前記地板に取り付けられておりその一端部に形成されている曲げ部を前記複数の被押動部の作動軌跡内に臨ませている第２偏倚部材とを備えていて、前記二つの偏倚部材は、前記ターレット式絞り板が所定の開口部を前記露光開口部に臨ませているとき、それらに形成されている前記曲げ部によって前記被押動部の一つを相反する方向へ付勢し挟持するようにしたことを特徴とするカメラ用絞り機構。
【請求項６】
前記被押動部が、前記ターレット式絞り板の周辺部から径方向へ突き出して形成された突起部であることを特徴とする請求項５に記載のカメラ用絞り機構。
【請求項７】
前記被押動部が、前記ターレット式絞り板に垂直に設けられた突起部であることを特徴とする請求項１乃至５の何れかに記載のカメラ用絞り機構。
【請求項８】
前記ターレット式絞り板に、前記歯車に噛合する歯部が形成されていることを特徴とする請求項１乃至７の何れかに記載のカメラ用絞り機構。
【請求項９】
前記ターレット式絞り板の一部に、該ターレット式絞り板の初期位置検出用のスリットが形成されていることを特徴とする請求項１乃至８の何れかに記載のカメラ用絞り機構。
【発明の詳細な説明】
【０００１】
【発明の属する技術分野】
本発明は、撮影に際して、ＣＣＤに代表される固体撮像素子や写真フィルムに当たる光量を調節することのできるカメラ用絞り機構に関する。
【０００２】
【従来の技術】
写真フィルムを使用する通常のカメラや、ビデオカメラ，デジタルカメラなどの固体撮像素子を内蔵したカメラにおいては、レンズの焦点深度の調節と、フィルムや固体撮像素子に結像される被写界の光量を調節するために、露光開口の大きさを制御する絞り機構が設けられている。そして、現在、一般に多く用いられている絞り機構には、その構成上の特徴から、複数の羽根を用い、虹彩のように光軸を中心にして連続して口径を変え得るタイプのものと、口径の異なる複数の開口部を選択的に光路に挿入するタイプのものとがある。
【０００３】
そして、前者のタイプの絞り機構は、口径を連続的に変えられるので、任意の口径の開口を得ることができるという利点があるものの、円形に近い形状の開口が得られるようにするためには絞り羽根の枚数を多くする必要があるし、それらの加工精度や組立精度をよくしなければならないため、コスト高になるという不利な面がある。また、コストを下げるために絞り羽根を２枚にしたものもあるが、そのようにすると、口径の大きさによって開口形状が異なってしまい、均一な円形に近い形状が得られなくなってしまう。他方、後者のタイプの絞り機構は、常に、光軸を中心にして円形をした開口形状を得ることができるという優れた利点がある反面、任意の大きさの口径を得ることができず、予め用意してある限られた口径の開口部を選択できるだけである。
【０００４】
本発明は、上記した二つのタイプのうち、後者のタイプのカメラ用絞り機構に関するものである。そして、このタイプの絞り機構の代表的な構成は、通常、ターレット式絞り板と称されている回転板に、複数の異なる口径の開口部を形成しておき、そのターレット式絞り板の回転位置を調節することによって、所望の口径の開口部を選択できるようにしている。しかも、最近では、そのターレット式絞り板の回転をモータによって駆動するのが普通になってきており、その一例が特開平４−１３９４２７号公報に記載されている。
【０００５】
【発明が解決しようとする課題】
上記したように、本発明が対象としているカメラ用絞り機構は、常に円形の開口形状を得ることができるというのが利点の一つである。しかしながら、その円形の開口部が、どのような条件下にあっても、撮影に際して、ほぼ光軸を中心にして配置されているのでなければ、そのような利点は損なわれてしまうことになる。ところで、上記の公報に記載された従来例によれば、ターレット式絞り板の周囲には、歯車のように歯部が形成されていて、ステッピングモータによって回転される歯車と噛合するようになっている。そのため、ターレット式絞り板を回転させて所定の開口部の選択が行えたとしても、バックラッシの影響を受け、ターレット式絞り板の選択位置が定まらず、所定の開口部を、どのような条件下にあっても常に所定の位置に配置させておくことができないという問題点があった。そして、そのようなことが生じると、特に、小口径の開口部を選択した場合に影響が大きくなる。
【０００６】
本発明は、このような問題点を解決するためになされたものであり、その目的とするところは、複数の異なる口径の開口部を形成したターレット式絞り板をモータで回転し、所定の開口部を選択できるようにした絞り機構であって、撮影に際しては、どのような条件下にあっても、選択された開口部を、ほぼ光軸を中心にして所定の位置に配置させておくことができるようにしたカメラ用絞り機構を提供することである。
【０００７】
【課題を解決するための手段】
上記の目的を達成するために、本発明のカメラ用絞り機構は、光軸を中心にした円形の露光開口部を有する地板と、回転軸を中心にして異なる角度位置に形成された口径の異なる複数の開口部を有すると共に周辺近傍部には夫々該複数の開口部に対応した位置に複数の被押動部と二つの傾斜面を形成した複数の凹状の係合部とを有しているターレット式絞り板と、歯車を介して前記ターレット式絞り板を回転させ前記複数の開口部のうち所定の開口部を前記露光開口部に臨ませることの可能なモータと、前記地板に取り付けられていてばねの付勢力によって前記係合部の二つの傾斜面に係合し得る位置決定部材と、前記地板に取り付けられており前記位置決定部材が前記複数の係合部の一つに係合しているとき前記複数の被押動部の一つに接触しばねの付勢力によって前記ターレット式絞り板の回転方向とは反対方向へ回転させるように付勢している偏倚部材とを備えているようにする。
また、本発明のカメラ用絞り機構は、好ましくは、前記係合部に形成されている二つの傾斜面のうち、前記ターレット式絞り板の回転方向側に形成されている傾斜面は、反対回転方向側に形成されている傾斜面よりも急峻に形成されており、また、前記位置決定部材には、前記複数の係合部の一つに係合しているとき前記急峻な傾斜面と接触する係止部が形成されており、該係止部は、前記ターレット式絞り板が前記偏倚部材の付勢力によって前記反対回転方向へ回転するのを阻止するようにする。
また、本発明のカメラ用絞り機構においては、好ましくは、前記偏倚部材がばねであって、その一端を前記被押動部に接触し得るようにする。
また、本発明のカメラ用絞り機構においては、好ましくは、前記位置決定部材が、板ばねで構成されているようにする。
また、上記の目的を達成するために、本発明のカメラ用絞り機構は、光軸を中心にした円形の露光開口部を有する地板と、回転軸を中心にして異なる角度位置に形成された口径の異なる複数の開口部を有すると共に周辺近傍部には夫々該複数の開口部に対応した位置に複数の被押動部を有しているターレット式絞り板と、歯車を介して前記ターレット式絞り板を回転させ前記複数の開口部のうち所定の開口部を前記露光開口部に臨ませることの可能なモータと、ばねで構成されていて前記地板に取り付けられておりその一端部に形成されている曲げ部を前記複数の被押動部の作動軌跡内に臨ませている第１偏倚部材と、ばねで構成されていて前記地板に取り付けられておりその一端部に形成されている曲げ部を前記複数の被押動部の作動軌跡内に臨ませている第２偏倚部材とを備えていて、前記二つの偏倚部材は、前記ターレット式絞り板が所定の開口部を前記露光開口部に臨ませているとき、それらに形成されている前記曲げ部によって前記被押動部の一つを相反する方向へ付勢し挟持するようにする。
また、本発明のカメラ用絞り機構においては、好ましくは、前記被押動部が、前記ターレット式絞り板の周辺部から径方向へ突き出して形成された突起部であるようにする。
また、本発明のカメラ用絞り機構においては、好ましくは、前記被押動部が、前記ターレット式絞り板に垂直に設けられた突起部であるようにする。
また、本発明のカメラ用絞り機構においては、好ましくは、前記ターレット式絞り板に、前記歯車に噛合する歯部が形成されているようにする。
また、本発明のカメラ用絞り機構においては、好ましくは、前記ターレット式絞り板の一部に、該ターレット式絞り板の初期位置検出用のスリットが形成されているようにする。
【０００８】
【発明の実施の形態】
本発明の実施の形態を、五つの実施例によって説明する。尚、図面は、図１〜図３が第１実施例を、図４が第２実施例を、図５及び図６が第３実施例を、図７及び図８が第４実施例を、図９及び図１０が第５実施例を示したものであって、各実施例間において、実質的に同じ構成をしており且つ実質的に同じ役目をしている部材及び部位には、同じ符号を付けてある。
【０００９】
〔第１実施例〕
先ず、図１〜図３を用いて本発明の第１実施例を説明する。本実施例においては、外形が円形をした地板１の中央部に、円形の露光開口部１ａが形成されている。そして、図示していないが、本実施例においては、本来、この地板１の背面と前面に、各々１枚ずつの地板が取り付けられていて、背面側の地板との間にシャッタ羽根の羽根室が形成され、前面側の地板との間に絞り室が形成されている。また、その前面側の地板の手前側、即ち絞り室の外側にはステッピングモータ２が取り付けられており、その出力軸２ａが絞り室内に突き出ていて、そこに歯車３が取り付けられている。尚、ステッピングモータ２の制御は、図示していない制御回路によって行われる。
【００１０】
絞り室内においては、地板１に、軸１ｂ，１ｃと柱１ｄ，１ｅ，１ｆが設けられている。そして、軸１ｂにはターレット式絞り板４が回転可能に取り付けられている。このターレット式絞り板４には、異なる角度位置に、異なる口径の六つの開口部４ａ，４ｂ，４ｃ，４ｄ，４ｅ，４ｆが形成されており、また、このターレット式絞り板４の前面（図の手前側の面）には、上記の六つの開口部の角度位置に対応させて、柱４ｇ，４ｈ，４ｉ，４ｊ，４ｋ，４ｍが垂直に立設されている。更に、このターレット式絞り板４は所定の厚さを有していて、その周面には、地板１側の厚さ半分に、全周にわたって歯部４ｎが形成されており、歯車３と噛合している。また、残りの厚さ半分には、上記の六つの開口部の角度位置に対応させて、係合部４ｐ，４ｑ，４ｒ，４ｓ，４ｔ，４ｕが形成されている。尚、上記の歯部４ｎに代え、露光開口部１ａに差し障りのない小さな半径位置に歯部を形成し、その歯部と歯車３との間に、一つ又は複数の歯車を介在させるように構成しても構わない。
【００１１】
地板１の軸１ｃには、位置決め部材５が回転可能に取り付けられている。そして、その位置決め部材５には、前面側に柱５ａが、背面側にピン５ｂが設けられている。また、ばね６が、軸１ｃを中心にして巻回されており、その両端を柱１ｄ，５ａに掛けることによって、位置決め部材５を時計方向へ回転させるように付勢している。そのため、ピン５ｂは、ターレット式絞り板４の周面に接触させられるが、ピン５ｂの長さが比較的短いため、歯部４ｎには接しないようになっている。更に、ばね７が、柱１ｅに巻回されており、その両端を柱１ｆ，１ｇに掛け、柱１ｇに掛けた一端を、ターレット式絞り板４の柱４ｇ，４ｈ，４ｉ，４ｊ，４ｋ，４ｍの作動軌跡内に臨ませている。
【００１２】
次に、本実施例の絞り口径調節作動について説明する。図１はターレット式絞り板４が調節作動を開始する前の初期状態を示している。この状態においては、ターレット式絞り板４に形成された異なる口径の六つの開口部のうち最も大きな開口部４ａが、地板１の露光開口部１ａの位置に臨んでいる。そして、図１から分かるように、開口部４ａの口径は、露光開口部１ａの口径よりも大きい。そのため、この状態は、撮影のための最大口径が露光開口部１ａによって規制されている調節状態でもあることになる。従って、六つの開口部のうち開口部４ａは露光開口部１ａよりも大きければよく、他の開口部のように加工精度を要求されず、形状も円形である必要は全くない。また、露光開口部１ａと開口部４ａの口径を逆にし、開口部４ａによって最大口径を規制するようにしても、一向に差し支えない。
【００１３】
また、この初期状態においては、位置決め部材５は、ばね６の付勢力によって、ターレット式絞り板４の係合部４ｐにピン５ｂを係合させ、ターレット式絞り板４の回転を止めておく役目をしている。このような、ターレット式絞り板４の回転止め機構は、所謂クリック機構である。そのため、周知のクリック機構を、本実施例の構成に代えて採用することを妨げず、その場合には、係合部４ｐに係合する部分をＶ型に曲げた板ばねを採用すると、コスト的には有利になる。このことは、後述する第２実施例の場合も同じである。更に、本実施例の初期状態においては、ばね７が柱４ｇを押し、ターレット式絞り板４を反時計方向へ回転させるように付勢しているが、このことについては後述する。
【００１４】
そこで、このような初期状態から開口部４ｂを選択する場合について説明する。撮影に先立ち、所定の信号に基づいてステッピングモータ２が回転されると、歯車３は反時計方向へ回転され、ターレット式絞り板４は時計方向へ回転される。このとき、係合部４ｐのＶ型の斜面は傾斜角度が小さく、且つ二つのばね６，７の付勢力も余り強くないので、ターレット式絞り板４は大きな抵抗を受けずにスムーズに回転される。そして、位置決め部材５のピン５ｂは係合部４ｐから離脱して、ターレット式絞り板４の周面と接触するようになる。また、ばね７は、柱４ｇによって一時的に緊張させられるが、その一端と柱４ｇとの接触関係が解かれたとき元の状態に復帰し、上記の一端が柱１ｇに接触した状態となる。図２は、このような過程を経て、ターレット式絞り板４が回転を続けている状態を示している。
【００１５】
このようにして、ターレット式絞り板４が回転を続けると、やがて、係合部４ｑが位置決め部材５のピン５ｂの位置に達する。そのため、位置決め部材５は、ばね６の付勢力によって時計方向へ回転して、ピン５ｂが係合部４ｑに係合し、それと同時にステッピングモータ２の回転が停止する。また、そのとき、柱４ｈが、ばね７の一端に接触することになる。その状態が図３に示されている。
【００１６】
周知のように、このような作動は可成り高速に行われるから、ステッピングモータ２が停止するに際しては、部材間の公差や、特にバックラッシの影響を受け、ターレット式絞り板４が慣性力によって所定の停止位置よりも多めに回転しようとする。係合部４ｑのＶ型の傾斜角度が大きく且つばね６の付勢力が大きければ、そのような回転力が加わっても、ターレット式絞り板４を所定の位置に戻して停止させることができるが、本実施例の場合には、係合部４ｑの傾斜角度とばね６の強さが上記のように設定されているから、ピン５ｂが係合部４ｑのＶ型の両斜面に接触せず、左側の傾斜面にのみ接触した状態で停止してしまうという現象が生じてしまう。
【００１７】
そこで、そのような現象が生じないようにするために、本実施例の場合には、ばね７が設けられている。このばね７の付勢力は、上記したように、ステッピングモータ２が停止したとき、ターレット式絞り板４を反時計方向へ回転させるように働くため、ピン５ｂが係合部４ｑの左側の傾斜面にのみ接触した状態にならないように作用し、たとえ左側の傾斜面にのみ接触した状態になったとしても、直ちにピン５ｂが係合部４ｑのＶ型の両斜面に接触した状態にさせてしまう。従って、本実施例においては、開口部４ｂの中心を光軸に合わせて極めて精度よく位置決めすることが可能となる。また、絞り口径調節後、ミラーやシャッタ等の作動によって振動が生じたとしても、それによってターレット式絞り板４が一時的に回転方向に作動されてしまうというようなことがない。
【００１８】
このようにして、開口部４ｂが選択されたことになるが、開口部４ｂの口径よりも小さい口径の開口部を選択する場合には、ステッピングモータ２は図３の状態で停止せず、回転を続け、所定の開口部が露光開口部１ａの位置に達したとき、上記と同じようにして停止することになる。このようにして所定の開口部が選択され、撮影が終了すると、ステッピングモータ２は再び作動し、ターレット式絞り板４を時計方向へ回転させ、図１の初期状態に達したとき停止し、次の撮影に備えることになる。尚、本実施例においては、ばね７が、その一端を直接、ターレット式絞り板４の柱４ｇ，４ｈ，４ｉ，４ｊ，４ｋ，４ｍに接触させるようにしているが、ばね７に付勢された部材を、本実施例のようにして、各柱に接触させるようにしても差し支えない。このことは、後述する第２実施例及び第３実施例の場合も同じである。
【００１９】
〔第２実施例〕
次に、図４を用いて第２実施例を説明する。図４は、第１実施例における図１の場合と同様に、初期状態を示している。そして、本実施例の構成が、第１実施例の構成と異なる点は、第１実施例におけるばね７に代わってばね８が設けられている点である。このばね８は、柱１ｅに巻回され、両端が柱１ｆ，１ｇに掛けられているが、それらのうち、ターレット式絞り板４の柱４ｇ，４ｈ，４ｉ，４ｊ，４ｋ，４ｍに接触することの可能な一端には、曲げ部８ａが形成されている。その他の構成は、第１実施例の場合と全く同じである。
【００２０】
本実施例の場合、初期状態から、選択した所定の開口部を露光開口部１ａの位置に臨ませるまでの作動は、第１実施例の場合と全く同じである。また、本実施例は、第１実施例の説明で述べた作用効果を全て有している。従って、それらについては重複を避けるために、説明を省略する。本実施例の場合は、ばね８の一端に曲げ部８ａを形成しているために、第１実施例にはない効果を有している。即ち、第１実施例においては、ばね７の端部の形状に制約され、図３の状態から図１の状態まで、ターレット式絞り板４を反時計方向へ回転させることが不可能であったが、本実施例においてはそれが可能になっている。そのため、撮影終了後に、ターレット式絞り板４を初期位置へ復帰させるに際し、早く復帰できる回転方向を選択して復帰させるようにすることが可能になる。更に、このことから、ターレット式絞り板４は、本実施例のように３６０°回転できなくてもよいことになるし、必ずしも円板として構成しなくてもよいことになる。
【００２１】
〔第３実施例〕
次に、図５及び図６を用いて第３実施例を説明するが、図５は初期状態を示しており、また、図６は初期状態から調節作動を開始した直後の状態を示している。そこで、先ず、本実施例の構成を、第１実施例の構成と異なる点についてだけ説明する。本実施例においては、ターレット式絞り板４に形成されている係合部４ｐ，４ｑ，４ｒ，４ｓ，４ｔ，４ｕの形状が、第１実施例の場合の係合部の形状とは異なっており、一方の傾斜面が急峻に形成されている。また、本実施例における位置決め部材９は、ばね６の一端を掛ける柱９ａのほかに係止部９ｂを有していて、その係止部９ｂを上記各係合部に係合し、ターレット式絞り板４の時計方向への回転を係止することができるようになっている。
【００２２】
また、本実施例のばね１０には、第１実施例のばね７の場合と同様に、第２実施例のばね８のような曲げ部を形成していない。そして、このばね１０は、上記ばね７の場合とは逆に、ターレット式絞り板４を時計方向へ回転させる方向に、柱４ｇ，４ｈ，４ｉ，４ｊ，４ｋ，４ｍを付勢することが可能になっている。また、本実施例においては、ステッピングモータ２を取り付けている図示していない地板の面に、位置検出手段としてフォトリフレクタ１１が取り付けられていて、その発光部１１ａから出射された光は絞り室内で反射され、受光部１１ｂに入射し得るようになっている。そのため、本実施例のターレット式絞り板４にはスリット４ｖが形成されており、また、図５においてスリット４ｖの背部にある地板１の面には、図示していない反射シートが貼付されている。
【００２３】
次に、本実施例の絞り口径調節作動について説明する。図５の初期状態においては、位置決め部材９は、ばね６の付勢力によって、ターレット式絞り板４の係合部４ｐに係止部９ｂを係合させている。また、ばね１０が柱４ｇを押し、ターレット式絞り板４を時計方向へ回転させるように付勢している。そのため、ターレット式絞り板４は、係合部４ｐを係止部９ｂに係止され、時計方向への回転を阻止されている。
【００２４】
このような初期状態から開口部４ｆを選択する場合について説明する。撮影に先立ち、先ず、フォトリフレクタ１１に通電される。そのため、発光部１１ａが点灯し、そこから出射された光がスリット４ｖを通過して、地板１に貼付されている反射シートで反射され、再びスリット４ｖを通過して受光部１１ｂに入射する。そして、光がこの受光部１１ｂに入射したことによって、ターレット式絞り板４が初期位置にあることが確認される。その確認後、ステッピングモータ２が回転されると、本実施例の場合には、歯車３が時計方向へ回転され、ターレット式絞り板４が反時計方向へ回転される。
【００２５】
このとき、位置決め部材９は、その係止部９ｂが係合部４ｐの右側の斜面に押され、ばね６の付勢力に抗して反時計方向へ回転され、やがて係止部９ｂの先端がターレット式絞り板４の周面に接するようになる。他方、ばね１０は、柱４ｇによって一時的に緊張させられるが、その一端が、柱４ｇとの接触関係を解かれると、元の状態に復帰し、再び柱１ｇに接触した状態となる。図６は、このような過程を経て、ターレット式絞り板４が回転を続けている状態を示している。
【００２６】
このようにして、ターレット式絞り板４が回転を続けると、やがて、係合部４ｕが位置決め部材９の係止部９ｂの位置に達する。そのため、位置決め部材９は、ばね６の付勢力によって瞬間的に時計方向へ回転し、係止部９ｂが係合部４ｕに落ち込む。そして、その直後にステッピングモータ２の回転が停止する。その場合、係止部９ｂが係合部４ｕに落ち込んだ瞬間に、ターレット式絞り板４の回転が停止するように製作することは、極めて困難である。そのため、ターレット式絞り板４の回転が停止した瞬間においては、係止部９ｂは、係合部４ｕの急峻な斜面に接触しておらず、両者の間には僅かではあるがギャップが存在することになる。また、そのギャップを一定化させることは難しい。
【００２７】
そこで、本実施例は、ターレット式絞り板４の回転が停止したときには、柱４ｍが既にばね１０に接しており、そのばね１０を緊張させているように構成してある。そのため、ステッピングモータ２が停止すると、ターレット式絞り板４は、ばね１０によって時計方向へ回転され、上記のギャップが無くなった段階で、停止する。その結果、本実施例においては、開口部４ｆの中心を光軸に合わせて極めて精度よく位置決めすることが可能となる。また、絞り口径調節後、何らかの振動が生じたとしても、それによってターレット式絞り板４が一時的に回転されてしまうというようなことがない。尚、他の開口部４ｂ，４ｃ，４ｄ，４ｅの一つを選択する場合は、上記に準じて行われるが、開口部４ａを選択する場合には、ステッピングモータ２を回転させないことは言うまでもない。
【００２８】
このようにして開口部４ｆが露光開口部１ａに臨まされ、撮影が終了すると、ステッピングモータ２は再び作動し、ターレット式絞り板４を更に反時計方向へ回転させる。そして、ターレット式絞り板４は、フォトリフレクタ１１の発光部１１ａから出射した光を受光部１１ｂが検出した段階で停止され、次の撮影に備えることになる。
【００２９】
尚、前回の撮影時に所定の電池電圧が得られなかった等の理由によって、撮影時に、ターレット式絞り板４が初期位置にない場合がある。そのような場合には、撮影に先立ってフォトリフレクタ１１に通電されたとき、受光部１１ｂが上記した反射シートからの反射光を検出することができない。従って、本実施例においては、そのような場合、ステッピングモータ２によってターレット式絞り板４が反時計方向へ回転され、検出が可能になった位置、即ち図５の状態になったとき停止するようになっている。
【００３０】
このように、本実施例によれば、位置決め部材９が、ターレット式絞り板４の回転係止部材として構成されているので、第１実施例のように、二つのばね６，７の力のバランスを考慮する必要がなく、ばね１０の付勢力の設定に自由度があって有利である。尚、本実施例においては、位置検出素子としてフォトリフレクタ１１を用いたが、他の検出素子を用いても差し支えない。また、このような検出素子は、他の実施例においても採用すると好適である。更に、本実施例においては、ターレット式絞り板４の回転を位置決め部材９によって係止しているが、板ばねの自由端の端面で阻止する構成にすれば、本実施例における位置決め部材９とばね６が不要になり、コスト的には有利になる。
【００３１】
〔第４実施例〕
次に、図７及び図８を用いて第４実施例を説明するが、図７は初期状態を示しており、図８は初期状態から調節作動を開始した直後の状態を示している。そこで、本実施例の構成を、第１実施例の構成と異なる点についてだけ説明する。本実施例においては、ターレット式絞り板４に、第１実施例における係合部４ｐ，４ｑ，４ｒ，４ｓ，４ｔ，４ｕが形成されていない。また、第１実施例におけるばね７に代えて、第２実施例とほぼ同じ形状のばね８が設けられている。更に、本実施例においては、第１実施例における位置決め部材５が設けられておらず、地板１の柱１ｈに巻回され、柱１ｉ，１ｊに掛けられたばね１２が設けられている。そして、このばね１２は、ばね８の曲げ部８ａと同様に、曲げ部１２ａをターレット式絞り板４の各柱の作動軌跡内に臨ませていて、二つの曲げ部８ａ，１２ａを対称的に重ね、それらの間に凹部が形成されるようになっている。
【００３２】
そこで、次に、本実施例の絞り口径調節作動について説明する。図７の初期状態においては、ターレット式絞り板４の柱４ｇが、ばね８，１２の曲げ部８ａ，１２ａによって形成された凹部に位置している。そして、その柱４ｇが二つの曲げ部８ａ，１２ａによって挟持されることにより、ターレット式絞り板４の初期状態が維持されている。この初期状態において、開口部４ｂが選択された場合には、ステッピングモータ２が回転されると、歯車３を介して、ターレット式絞り板４が時計方向へ回転する。それによって、柱４ｇが、曲げ部１２ａを押すから、ばね１２は一時的に緊張させられるが、柱４ｇが曲げ部１２ａの頂点を越えると、元の状態に復帰し、再び柱１ｊに接触した状態となる。図８は、このような過程を経て、ターレット式絞り板４が時計方向へ回転を続けている状態を示している。
【００３３】
このようにしてターレット式絞り板４が時計方向への回転を続けると、やがて、柱４ｈが、曲げ部８ａを押し、ばね８を緊張させる。しかし、柱４ｈが曲げ部８ａの頂点を越えると、曲げ部８ａは復帰作動をし、二つの曲げ部８ａ，１２ａによって柱４ｈを挟持した段階で、ステッピングモータ２が停止する。従って、ターレット式絞り板４は、バックラッシ等によって多少回転方向へ動き得る状態にあったとしても、二つの曲げ部８ａ，１２ａの弾性によって柱４ｈが挟持され、所定の位置に確実に位置付けられることになる。
【００３４】
このようにして開口部４ｂが露光開口部１ａに臨まされ、撮影が終了すると、ステッピングモータ２は再び作動し、ターレット式絞り板４を回転させることになるが、本実施例の場合には、第１実施例の場合と異なり、更に時計方向へ回転させるのではなく、反時計方向へ回転させ、初期状態へ復帰させることが可能になっている。そのため、開口部４ｂを選択して撮影した場合には、第１実施例の場合より、初期状態への復帰完了が早くなる。また、本実施例においては、開口部４ｆが選択された場合、初期状態からターレット式絞り板４を反時計方向へ回転させることも可能である。そのため、全体としては、開口部の調節作動時間及び初期状態への復帰作動時間を短くすることが可能になる。更に、本実施例の場合には、上記の各実施例の場合に比較して、構成が簡単になるという利点がある。また、ターレット式絞り板４は往復回転が行えるので、第２実施例の場合と同様に、必ずしも円板に構成する必要はない。
【００３５】
【第５実施例】
次に、図９及び図１０を用いて第５実施例を説明する。図９は初期状態を示しており、図１０は初期状態から調節作動を開始した直後の状態を示している。本実施例の構成が、上記した第４実施例の構成と実質的に異なる点は、ターレット式絞り板４に形成された柱４ｇ，４ｈ，４ｉ，４ｊ，４ｋ，４ｍに代えて、周面部から径方向に突起部４ｇ′，４ｈ′，４ｉ′，４ｊ′，４ｋ′，４ｍ′を形成させた点である。そのため、図９に示された初期状態においては、ターレット式絞り板４の突起部４ｇ′が、ばね８，１２の曲げ部８ａ，１２ａによって形成された凹部に位置し、曲げ部８ａ，１２ａによって挟持されている。
【００３６】
このような本実施例の構成によれば、第４実施例の構成に比較して、絞り室内における光軸方向の寸法を小さく（薄型化）することが可能になり、カメラ内への配置が有利になる。また、ターレット式絞り板４は、第２実施例及び第４実施例の場合と同様に、往復回転が自由に行えるので、必ずしも円板に構成する必要がない。
【００３７】
【発明の効果】
以上のように、本発明によれば、複数の異なる口径の開口部を形成しているターレット式絞り板をモータで回転し、所定の開口部を選択できるようにしたカメラ用絞り機構において、撮影に際しては、どのような条件下にあっても、選択された開口部を、ほぼ光軸を中心にして所定の位置に配置させておくことができるという特徴がある。
【図面の簡単な説明】
【図１】第１実施例の平面図であって、ターレット式絞り板が調節作動を開始する前の初期状態を示している。
【図２】第１実施例の平面図であって、図１の状態からターレット式絞り板が回転されつつある状態を示している。
【図３】第１実施例の平面図であって、所定の開口部が露光開口部の位置に達し、ターレット式絞り板が停止した状態を示している。
【図４】第２実施例の平面図であって、ターレット式絞り板が調節作動を開始する前の初期状態を示している。
【図５】第３実施例の平面図であって、ターレット式絞り板が調節作動を開始する前の初期状態を示している。
【図６】第３実施例の平面図であって、図５の状態からターレット式絞り板が回転されつつある状態を示している。
【図７】第４実施例の平面図であって、ターレット式絞り板が調節作動を開始する前の初期状態を示している。
【図８】第４実施例の平面図であって、図７の状態からターレット式絞り板が回転されつつある状態を示している。
【図９】第５実施例の平面図であって、ターレット式絞り板が調節作動を開始する前の初期状態を示している。
【図１０】第５実施例の平面図であって、図９の状態からターレット式絞り板が回転されつつある状態を示している。
【符号の説明】
１                          地板
１ａ                        露光開口部
１ｂ，１ｃ                  軸
１ｄ，１ｅ，１ｆ，１ｇ，１ｈ，１ｉ，１ｊ，４ｇ，４ｈ，４ｉ，４ｊ，４ｋ，４ｍ，５ａ，９ａ  柱
２                          ステッピングモータ
２ａ                        出力軸
３                          歯車
４                          ターレット式絞り板
４ａ，４ｂ，４ｃ，４ｄ，４ｅ，４ｆ  開口部
４ｇ′，４ｈ′，４ｉ′，４ｊ′，４ｋ′，４ｍ′  突起部
４ｎ                        歯部
４ｐ，４ｑ，４ｒ，４ｓ，４ｔ，４ｕ  係合部
４ｖ                        スリット
５，９                      位置決め部材
５ｂ                        ピン
６，７，８，１０，１２      ばね
８ａ，１２ａ                曲げ部
９ｂ                        係止部
１１                        フォトリフレクタ
１１ａ                      発光部
１１ｂ                      受光部
【図１】
0003926449.tif 000002
【図２】
0003926449.tif 000003
【図３】
0003926449.tif 000004
【図４】
0003926449.tif 000005
【図５】
0003926449.tif 000006
【図６】
0003926449.tif 000007
【図７】
0003926449.tif 000008
【図８】
0003926449.tif 000009
【図９】
0003926449.tif 000010
【図１０】
0003926449.tif 000011